(57)【要約】  本発明の主題は、マトリックスで１つまたは複数の物質を封入する方法であって、液体状態の前記マトリックスと前記物質との混合物の調製、次に得られた混合物の固化を含み、前記マトリックスがバニリンもしくはエチルバニリンまたはバニリン／エチルバニリン混合物からなる、方法である。このようにして得られた固体配合物は、ヒト消費用の食品および動物飼料の分野で、医薬品分野で、化粧品、芳香剤および洗剤分野での香料として、または医薬品分野での封入された有効成分として特に有利である。バニリン、エチルバニリンおよびバニリン／エチルバニリン混合物から選択される化合物の封入剤としての使用も本発明の主題である。【選択図】なし【特許請求の範囲】
【請求項１】
マトリックスによって１つまたは複数の物質を封入する方法であって、液体状態の前記マトリックスと前記物質との混合物の調製、次に得られた混合物の固化を含み、マトリックス中に封入された物質の濃度が１ｐｐｂ〜５０重量％であり、前記マトリックスがバニリンもしくはエチルバニリンまたはバニリン／エチルバニリン等モル混合物からなる、方法。
【請求項２】
マトリックスが天然バリリンであることを特徴とする、請求項１に記載の方法。
【請求項３】
前記物質が、香味組成物、調味料および医薬品有効成分から選択されることを特徴とする、請求項１または２に記載の方法。
【請求項４】
マトリックスと前記物質との混合物の調製の工程が、前記マトリックスを溶融させることと、前記物質を融解状態の前記マトリックスと混合することとを含むことを特徴とする、請求項１〜３のいずれか一項に記載の方法。
【請求項５】
マトリックスと前記物質との混合物の調製の工程が、前記物質を固体状態の前記マトリックスと混合すること、次にこのようにして得られた混合物を溶融させることを含むことを特徴とする、請求項１〜３のいずれか一項に記載の方法。
【請求項６】
マトリックスと前記物質との混合物の調製の工程が、前記マトリックスを溶媒に溶解させることと、前記物質を前記溶解されたマトリックスと混合することとを含むことを特徴とする、請求項１〜３のいずれか一項に記載の方法。
【請求項７】
固化の工程が、結晶化、バルク固化、スポーリング、ペレット化、噴霧乾燥、凍結乾燥、真空乾燥、造粒、流動床乾燥、または小球化からなることを特徴とする、請求項１〜６のいずれか一項に記載の方法。
【請求項８】
乾燥および粉砕から選択される１つまたは複数の後処理工程も含むことを特徴とする、請求項１〜７のいずれか一項に記載の方法。
【請求項９】
オーブン、棚型乾燥機、流動床または真空オーブンでの乾燥の工程を含むことを特徴とする、請求項１〜８のいずれか一項に記載の方法。
【請求項１０】
パドルミル、ピンミルまたは造粒機での粉砕の工程を含むことを特徴とする、請求項１〜９のいずれか一項に記載の方法。
【請求項１１】
１つまたは複数の物質が封入されているマトリックスを含む固体配合物であって、前記マトリックス中の封入された物質の濃度が１ｐｐｂ〜５０重量％であり、前記マトリックスがバニリンまたはバニリン／エチルバニリン等モル混合物からなる、固体配合物。
【請求項１２】
マトリックスが天然バニリンであることを特徴とする、請求項１１に記載の固体配合物。
【請求項１３】
前記物質が、香味組成物、調味料および医薬品有効成分から選択されることを特徴とする、請求項１１または１２に記載の固体配合物。
【請求項１４】
粒子または顆粒であって、そのサイズが１０μｍ〜６００００μｍである、粒子または顆粒であることを特徴とする、請求項１１〜１３のいずれか一項に記載の固体配合物。
【請求項１５】
粒子であって、その中央径（ｄ５０）が２００μｍ〜１０００μｍ、好ましくは５００μｍ〜８００μｍである、粒子であることを特徴とする、請求項１４に記載の固体配合物。
【請求項１６】
フレークであることを特徴とする、請求項１１〜１３のいずれか一項に記載の固体配合物。
【請求項１７】
フレークが、
−  ０．５ｃｍ〜６ｃｍ、好ましくは１ｃｍ〜３ｃｍの長さ、
−  ０．５ｃｍ〜３ｃｍ、好ましくは０．５ｃｍ〜１．５ｃｍの幅、および
−  ４００μｍ〜１５００μｍ、好ましくは５００μｍ〜７５０μｍの厚さ
を有することを特徴とする、請求項１６に記載の固体配合物。
【請求項１８】
請求項１〜１０のいずれか一項に記載の方法によって得ることができる、１つまたは複数の物質が封入されているマトリックスを含む固体配合物。
【請求項１９】
ヒトおよび動物向け食品の分野、医薬品の分野での香味料としての、化粧品、芳香剤および洗剤産業での香料としての、または医薬品分野での封入された有効成分としての、請求項１１〜１８のいずれか一項に記載の固体配合物の使用。
【請求項２０】
チョコレート製造の分野での香味料としての、請求項１９に記載の使用。
【請求項２１】
バニリン、エチルバニリンおよびバニリン／エチルバニリン混合物から選択される化合物のカプセル材料としての使用。
【請求項２２】
香味組成物、調味料および医薬品有効成分から選択される１つまたは複数の物質を封入するための、バニリン、エチルバニリンおよびバニリン／エチルバニリン混合物の請求項２１に記載の使用。
【請求項２３】
前記封入された物質の保存可能期間を増加させるための、請求項２２に記載の使用。
【発明の詳細な説明】
【技術分野】
【０００１】
本発明は、食品産業の技術分野、より具体的には、食品香味料およびその形成の分野に関する。しかし、本発明は、この技術分野外で用途を有し、例えば医薬品有効成分の形成に適用され得る。他の技術分野、とりわけ香料および化粧品が関係し得る。
【背景技術】
【０００２】
販売される食品香味料のおよそ２０％〜２５％は封入形態にあると推定される。食品香味料の封入は、本技術分野での周知の技法である。封入は、蒸発から揮発性香味物質を守るために、および空気中の酸素、熱、湿気または他の化合物との接触によって引き起こされ得る分解から被酸化性香味物質を守るために役立つ。いくつかの封入技法が存在する。溶解材料、噴霧乾燥、凍結乾燥、真空乾燥および流動床カプセル化による封入が特に挙げられ得る。これらの方法は、それらが香味料の封入のためのマトリックスとして役立つ材料を使用するという事実を共有している。このマトリックスは、従来、デンプン、マルトデキストリンおよび他の多糖類などの糖類またはゴムから選択される。国際出願国際公開第９４／０６３０８号パンフレットは、例えば、香味料を融解マトリックス中に封入する技法を記載している。
【０００３】
香味料の封入に関連する問題の１つは、食品の製造、貯蔵および消費中の前記香味料の放出の時点にある。例えば、香味料を封入するための通常のマトリックスは、調製工程中にチョコレートに溶けない。現在、したがって、標的用途に応じて異なる形態を提供することが必要である。
【０００４】
さらに、マトリックス中の封入に代わる形成方法は、すべての香味料に好適であるわけではない。香味料は、支持体上で変化および分解し得、いくつかの香りは蒸発し得る。
【０００５】
これに関連して、本発明者らは、現行方法の欠点の１つまたは複数を克服することを可能にする新規な形成方法を探求した。
【０００６】
バニリンおよびエチルバニリンは、食品部門で香味料として周知の化合物である。一方では、文献中の多くの文書がバニラ香味料を封入する方法を提案している。他方では、封入によって得られ得る固体組成物中の香味料またはマスキング剤としてのバニリンおよびエチルバニリンの使用が記載されている（例えば、国際出願国際公開第０２／４９６０７号パンフレットを参照されたい）。しかし、別の封入材料の存在が必要である。本発明者らの知る限りでは、封入材料としてのバニリンまたはエチルバニリンの使用は、決して文献に記載または提案されていない。
【０００７】
医薬品分野では、グループＴＥＶＡが、国際出願国際公開第０３／０８２２４７号パンフレットおよび国際公開第２００７／１１７６６１号パンフレットにおいて、支持体粒子上に沈着した薬剤の微小粒子からなる医薬品キャリアを記載している。これらの微小粒子は、支持体粒子の表面上の昇華性支持体中の薬剤の固溶体を形成し、次に前記昇華性支持体を取り除くことによって得られる。バニリンは、可能な昇華性支持体であると記載されている。しかし、この昇華性支持体は、それが取り除かれるため、薬剤を封入するためのマトリックスとして使用されない。特許出願米国特許出願公開第２０１４／０１４８５０７号明細書はまた、溶融によって得られる固体医薬品組成物を記載している。しかし、最終固体組成物中の医薬品有効成分の濃度は、少なくとも８０重量％であり、賦形剤は、最終組成物の最大で２０重量％を表すにすぎない。
【発明の概要】
【０００８】
本発明の主題は、マトリックスによって１つまたは複数の物質を封入する方法であって、液体状態の前記マトリックスと前記物質との混合物の調製、次に得られた混合物の固化を含み、マトリックス中の封入された物質の濃度が１ｐｐｂ〜５０重量％であり、前記マトリックスがバニリンもしくはエチルバニリンまたはバニリン／エチルバニリン等モル混合物からなる、方法である。
【０００９】
有利には、前記物質は、香味組成物、調味料および医薬品有効成分から選択されてもよい。
【００１０】
一実施形態によれば、マトリックスと前記物質との混合物の調製の工程は、前記マトリックスを溶融させることと、前記物質を融解状態の前記マトリックスと混合することとを含む。別の実施形態によれば、マトリックスと前記物質との混合物の調製の工程は、前記物質を固体状態の前記マトリックスと混合すること、次にこのようにして得られた混合物を溶融させることを含む。なおも別の実施形態によれば、マトリックスと前記物質との混合物の調製の工程は、前記マトリックスを溶媒に溶解させることと、前記物質を前記溶解されたマトリックスと混合することとを含む。
【００１１】
固化の工程は、結晶化、バルク固化、スポーリング、ペレット化、噴霧乾燥、凍結乾燥、真空乾燥、造粒、流動床乾燥、または小球化からなってもよい。
【００１２】
さらに、本発明の別の主題は、１つまたは複数の物質が封入されているマトリックスを含む固体配合物であって、前記マトリックスがバニリンまたはバニリン／エチルバニリン等モル混合物からなる、固体配合物である。固体配合物は、有利には、ヒトおよび動物向け食品の分野、医薬品の分野での香味料として、化粧品、芳香剤および洗剤産業での香料として、または医薬品分野での封入された有効成分として使用され得る。
【００１３】
バニリン、エチルバニリンおよびバニリン／エチルバニリン混合物から選択される化合物の封入材料としての使用も本発明の主題である。
【００１４】
本発明者らは、バニリン、エチルバニリンおよびバニリン／エチルバニリン混合物から選択されるマトリックスの使用が、興味のある１つまたは複数の物質、とりわけ香味化合物の簡単かつ有効な封入を可能にすることを観察した。
【００１５】
有利には、この封入は、前記物質の保存可能期間を増加させることを可能にする。このようにして封入された物質は、より容易に貯蔵され得る。封入される物質が香味化合物である場合、本発明の方法に従ったその封入は、臭いを発するという問題および直近に貯蔵される他の製品を汚染するという問題を回避することを可能にする。保存可能期間の改善は、決められた貯蔵期間後、残っている封入された物質の品質および／または量を検証することによって当業者により測定され得る。この分析は、例えば官能検査により、または他に分析的に、例えばガスクロマトグラフィー型の分析により定量的に実施され得る。保存可能期間の増加は、当業者に公知の任意の他のタイプの支持体上に形成された同じ物質と比較して測定され得る。
【００１６】
本発明による方法の別の利点は、封入マトリックスが脂溶性であるという事実にある。封入された物質は、したがって、脂肪物質中に放出されるであろう。この特性は、チョコレート製造の分野での使用にとって特に有益である。
【００１７】
さらに、本発明による方法において、バニリン、エチルバニリンおよびバニリン／エチルバニリン混合物は、香味料としておよび封入マトリックスとしての両方で役立ち得る。したがって、その機能が香味料を支持または封入することであるにすぎないであろう別の材料を添加することは必要でない。最終調合物は、したがって、より簡単であり、より少ない材料を使用するものであり得、したがってより少ない規制上の制限を生み出す。
【発明を実施するための形態】
【００１８】
以下の説明において、表現「．．．〜．．．」は、言及される限界を含むと理解されるべきである。
【００１９】
本発明の主題である方法において、バニリン、エチルバニリンまたはバニリン／エチルバニリン混合物は、物質の封入のためのマトリックスとして役立つ。バニリン、すなわち４−ヒドロキシ−３−メトキシベンズアルデヒド、およびエチルバニリン、すなわち３−エトキシ−４−ヒドロキシベンズアルデヒドは、香味料および／または香料として多くの分野の用途で広く使用されている製品である。本発明による方法において使用されるバニリンおよびエチルバニリンは、化学合成によって製造されたものであってもよい。あるいは、バニリンは、生物化学的方法、特に発酵の方法に従って生産されたものであってもよい。さらにあるいは、バニリンは、鞘から抽出されたものであってもよい。好ましい実施形態によれば、封入マトリックスは、天然バニリン、例えば発酵法によって得られたバニリンまたは鞘から抽出されたバニリンである。
【００２０】
好ましくは、マトリックスは、バニリンまたはエチルバニリンからなってもよい。任意の割合でのバニリンとエチルバニリンとの混合物の使用がここで記載される。一実施形態によれば、前記混合物は、バニリンとエチルバニリンとの等モル混合物である。この化合物は、４８℃〜４９℃の融点を有する。バニリンとエチルバニリンとの他の混合物、とりわけ、２のバニリン／エチルバニリンモル比でのバニリンとエチルバニリンとの混合物が公知である。この化合物は、５９℃〜６０℃の融点を有する。そのような混合物の調製は、特に文献国際公開第２０１０／０４６２３９号パンフレットおよび国際公開第２０１１／０４２３６５号パンフレットに記載されている。
【００２１】
封入される物質は、異なる性質のものであってもよい。本マトリックスは、単一タイプの物質または他にいくつかの物質の混合物を封入するのに役立ち得る。したがって、いくつかの異なる物質が一緒に封入されてもよい。封入される物質は、封入マトリックスと必然的に異なる。
【００２２】
第１実施形態によれば、封入される物質は香味化合物である。以下の説明では、表現「香味組成物」は、とりわけ、味覚器および／または臭覚器が関与するメカニズムに加わる香味料または香料として使用される分子を意味する。
【００２３】
香味組成物は、とりわけ、窒素、酸素および硫黄から選択される少なくとも１つのヘテロ原子を有する分子であってもよい。前記分子は、環式または非環式であっても、飽和または不飽和であってもよい。香味化合物の例としては、アルコール、アルデヒド、ケトン、エステル、エーテル、アセテート、ニトリル、テルペン類、窒素ベースまたは硫黄ベースの複素環化合物およびエッセンシャルオイルが挙げられる。香味化合物は、天然起源のものであっても、合成起源のものであってもよい。香味化合物の例は、とりわけ、Ｓ．Ａｒｃｔａｎｄｅｒによる書籍、“Ｐｅｒｆｕｍｅ  ａｎｄ  Ｆｌａｖｏｒ  Ｃｈｅｍｉｃａｌｓ”，１９６９およびその後の版に見いだされ得る。さらに、当業者は、ＦＥＭＡ  ＧＲＡＳＴＭプログラムによって特定されている物質、およびまたＦＬＡＶＩＳ数を有する欧州連合によって編集されたポジティブリスト（欧州連合の香味物質に関する情報システム）に言及されている物質を参照してもよい。
【００２４】
より好ましくは、前記香味化合物は、飽和および不飽和脂肪族アルコール、飽和および不飽和脂肪族アルデヒド、飽和および不飽和脂肪族アセタール、飽和および不飽和脂肪族ケトン、飽和および不飽和脂肪族酸、ケトエスエルおよびヒドロキシエステルを含む、飽和および不飽和脂肪族エステル、チオールおよびスルフィドを含む、飽和および不飽和脂肪族硫黄ベースの化合物、不飽和脂肪族炭化水素、脂環式ケトン、脂環式エノロン、脂環式エステル、脂環式硫黄ベースの化合物、テルペンアルコール、テルペンアルデヒド、テルペンアセタール、テルペンケトン、テルペン酸、テルペンエステル、テルペンラクトン、テルペンオキシド、芳香族アルコール、芳香族アルデヒド、芳香族ケトン、芳香族酸、芳香族エステル、フェノール類、フェノールエステル、芳香族エーテル、芳香族オキシド、芳香族ラクトン、芳香族硫黄ベースの化合物、芳香族窒素ベースの化合物、芳香族炭化水素、複素環ラクトン、複素環エステル、硫黄を含有するフラン類、硫黄を含有しないフラン類、ピラン類、ジオキソラン類、アクチニジオリド類、ピロール類、ピラジン類、トリアゾール類、ピリジン類、オキサゾール類、ピリミジン類、チオフェン類、オキサチアジン類、ジチアジン類、ジチアン類およびトリチアン類から選択されてもよい。
【００２５】
この第１実施形態によれば、いくつかの香味化合物は、好ましくは、同じマトリックス中に封入される。この場合、それは、封入されている香味組成物である。本説明の残りにおいて、表現「香味組成物」は、とりわけ、いくつかの香味化合物を組み合わせることによる香味料の調合物を意味する。香味組成物は、典型的には、２〜１００個の異なる香味化合物を含有してもよい。香味化合物および香味組成物は、任意選択的に、添加剤、とりわけ、支持体または溶媒など、食品加工の分野で典型的である添加剤とあらかじめ調合されてもよい。
【００２６】
第２実施形態によれば、封入される物質は調味料である。本説明の残りにおいて、表現「調味料」は、とりわけ、風味を実質的に変えないが、その強度を増加させる物質または物質のセットを意味する。
【００２７】
調味料は、天然起源のものであっても、合成起源のものであってもよい。
【００２８】
調味料の中でも、ナトリウムおよびカリウム塩、例えば塩化ナトリウムおよび塩化カリウム、マルトール、エチルマルトール、フラネオール、Ｌ−グルタミン酸ナトリウム（ＭＳＧ）、イノシン−５’−モノホスフェート（ＩＭＰ）、グアノシン−５−モノホスフェート（ＧＭＰ）、加水分解植物タンパク質（ＨＶＰ）、イースト抽出物、アミノ酸、ならびに例えばストック、しょうゆ、スパイシーソース、魚醤、オイスターソースなどのソースの抽出物などの物質が挙げられてもよい。好ましくは、調味料は、ナトリウムおよびカリウム塩、例えば塩化ナトリウムおよび塩化カリウム、マルトール、エチルマルトールならびにフラネオールから選択されてもよい。さらに、調味料は、国際出願国際公開第２００８／１０５６５２号パンフレットに記載され、とりわけ、次の群：  ラクトイルバニリン、ラクトイルエチルバニリン、ラクトイルイソバニリン、ラクトイルｐ−ヒドロキシベンズアルデヒド、ラクトイルｐ−ヒドロキシ−ｍ−メトキシ桂皮アルデヒド、ラクトイルｐ−ヒドロキシ−ｍ−メトキシシンナメート、ラクトイルバニレート、ラクトイルホモバニレート、ラクトイルｍ−ヒドロキシ安息香酸、ラクトイルイソバニレート、ラクトイルｐ−ヒドロキシ−ｍ−メトキシアセトフェノン、オクチルバニリン、デカノイルバニリン、ジバニリルスクシネート、ラクトイルｏ−ヒドロキシ−ｍ−メトキシベンズアルデヒド、ラクトイルオイゲノール、グルコニルバニリン、ならびにそれらの食用塩およびエステルに記載される物質から選択されてもよい。
【００２９】
バニリンまたはエチルバニリンマトリックス中の調味料の封入は、増幅されたバニリンまたはエチルバニリン風味を有する固体配合物の調製をもたらし得る。このようにして得られた固体配合物は、それがより強力な香りをもたらしながら、純バニリンまたはエチルバニリンと同じ方法で使用され得るため、とりわけ食品部門で有益である。逆に言うと、製造業者は、同等の強度を保持しながら、より少ない量でこの配合物を使用し得る。
【００３０】
第３実施形態によれば、封入される物質は医薬品有効成分である。医薬品有効成分の封入は、有効成分が摂取または適用される前に分解しないことが必要である限りにおいて重要な技術分野である。バニリンもしくはエチルバニリンまたはそれらの混合物の封入マトリックスとしての使用は、バニリンおよびエチルバニリンが食され、それらの風味が不快な味覚をマスクするのに役立ち得るため、これに関連して特に有利である。
【００３１】
さらに、封入される物質はまた、染料、酸化防止剤、保存料、マスキング剤など、ならびに任意の割合でのそれらの混合物など、食品部門で使用することができる添加剤から選択されてもよい。
【００３２】
本発明による方法において、マトリックス中の封入される物質の濃度は、１ｐｐｂ〜５０重量％であってもよい。いくつかの異なる物質が一緒に封入される場合、マトリックス中の各封入される物質の濃度は、１ｐｐｂ以上であってもよく、すべての物質の濃度の合計は、５０重量％以下であってもよい。
【００３３】
一実施形態によれば、封入される物質の濃度は、好ましくは１ｐｐｂ〜１０重量％、より優先的には１０ｐｐｍ〜５重量％である。そのような濃度は、とりわけ、例えば食品加工業界で役立つ、直ちに使用できる食品香味料の濃度に対応し得る。別の実施形態によれば、封入される物質の濃度は、好ましくは１重量％〜５０重量％、より優先的には１０重量％〜５０重量％である。
【００３４】
本発明による方法において、封入マトリックスは、好ましくは、得られる固体配合物の総重量に対して少なくとも５０重量％を表す。好ましくは、封入マトリックスは、５０重量％〜９９．９９９９９９９重量％、より好ましくは５０％〜９９．９９９％を表す。一実施形態によれば、封入マトリックスは、９０重量％〜９９．９９９９９９９重量％、より優先的には９５重量％〜９９．９９９重量％を表してもよい。別の実施形態によれば、封入マトリックスは、５０重量％〜９９重量％、より優先的には５０重量％〜９０重量％を表してもよい。
【００３５】
本発明による封入プロセスは、液体状態の前記マトリックスと前記物質との混合物の調製、次に混合物の固化を含む。このようにして調製された混合物は、したがって、均質であっても不均質であってもよく、マトリックスと封入される物質とを含んでもよく、前記マトリックスは少なくとも部分的に液体形態にあり、封入される物質は部分的にもしくは完全に液体形態にまたは部分的にもしくは完全に固体形態にある。
【００３６】
本発明の一実施形態によれば、マトリックスと封入される物質との混合物の調製の工程は、前記マトリックスを溶媒に溶解させることと、前記物質を前記溶解されたマトリックスと混合することとを含む。
【００３７】
使用されやすい溶媒は、バニリンまたはエチルバニリンに関して化学的に不活性であり、下に定義される温度域での加熱中に不活性のままでなければならない。本発明の組成物に使用されやすい溶媒として、極性のプロトン性または非プロトン性溶媒または溶媒の混合物が使用され得る。本発明に好適な溶媒の非限定的な例は、
−  水、
−  アルコール、好ましくは脂肪族またはアリール−脂肪族アルコール、より優先的にはメタノール、エタノール、プロパノール、イソプロパノール、ブタノール、フェニルエチルアルコール、エチレングリコール、ジエチレングリコール、プロピレングリコール、グリセロール、
−  エーテル−オキシド、好ましくは脂肪族の、より具体的には、ジエチルエーテル、ジプロピルエーテル、ジイソプロピルエーテル、ジブチルエーテル、メチルｔｅｒｔ−ブチルエーテル、エチルｔｅｒｔ−ブチルエーテル、ジ−ｔｅｒｔ−ブチルエーテル、エチレングリコールジメチルエーテル、ジエチレングリコールジメチルエーテル、
−  カルボン酸の脂肪族、脂環式または芳香族アルキルまたはアリールアルキルエステル、好ましくは酢酸アルキル、より優先的には酢酸エチル、酢酸プロピル、酢酸イソプロピル、酢酸ブチル、およびまたサリチル酸ベンジル、ラウリン酸メチル、安息香酸メチル、クエン酸エチル、トリアセチルグリセロール、すなわちトリアセチン、グリセロールおよび酢酸エステル、
−  ケトン、好ましくはＭＥＫ（メチルエチルケトン）、
−  環式または非環式炭化水素、好ましくはシクロヘキサン、
−  ハロゲン化溶媒、好ましくはジクロロメタン、
−  超臨界ＣＯ２、
−  ならびに任意の割合でのそれらの混合物
である。
【００３８】
好ましくは、溶媒は、水、エタノール、酢酸エチル、超臨界ＣＯ２およびそれらの混合物からなる群から選択される。
【００３９】
使用される溶媒の量は、とりわけ、溶媒の性質および溶解温度に依存する。一般に、溶解温度が低いほど溶媒の量はより多くなる。乾燥物質（マトリックス＋封入される物質）の重量に対する重量で表される、使用される溶媒の量は、一般に、５％〜９９％で変わる。
【００４０】
混合物は、任意選択的に、バニリンおよびエチルバニリンの溶解を容易にするために、好ましくは４０℃〜１２０℃、より優先的には５０℃〜８５℃の温度に加熱されてもよい。
【００４１】
一実施形態によれば、溶媒は、好ましくは４０℃〜１２０℃、より優先的には５０℃〜８５℃にあらかじめ加熱され、次にマトリックスと封入される物質とが溶媒中へ導入される。混合物は、１秒〜１２０分の継続時間にわたり攪拌状態に保たれる。
【００４２】
本発明の別の実施形態によれば、マトリックスと封入される物質との混合物の調製の工程は、溶媒なしで実施されてもよい。この実施形態は、有利には、追加の溶媒を添加しなくてもよいことを可能にする。混合物の調製の工程は、前記マトリックスを溶融させことと、前記物質を融解状態の前記マトリックスと混合することまたは他に前記物質を固体状態の前記マトリックスと混合することと、次にこのようにして得られた混合物を溶融させることとを含む。
【００４３】
この工程は、マトリックスと封入される物質とを別々にまたは混合物として装置へ装填することと、得られた混合物を好ましくは６０℃〜９０℃、より好ましくは７０℃〜８０℃の温度に加熱することとを含む。この操作は、一般に、任意の装置において、とりわけ、例えば、電気抵抗による、または他にジャケット中での伝熱流体の循環による、または他にオーブンもしくはストーブなどの加熱チャンバー中での加熱のシステムなど、従来型加熱装置を備えた容器中で攪拌しながら実施される。
【００４４】
好ましくは、この融解混合物は不活性ガス雰囲気下で調製され、この不活性ガスは優先的には窒素である。それにもかかわらず、高湿度空気下または乾燥空気下での作業は排除されない。
【００４５】
混合物は、融解混合物が得られるまで、選択された温度に保たれる。
【００４６】
固化の工程は、当業者に公知の任意の好適な方法に従って実施されてもよい。それは、とりわけ、結晶化、バルク固化、スポーリング、ペレット化、噴霧乾燥、凍結乾燥、真空乾燥、造粒、流動床乾燥、または小球化からなってもよい。
【００４７】
結晶化は、マトリックスと物質との混合が溶媒中の溶液で実施された場合に実施されてもよい。調製の変形にかかわらず、溶解生成物は、当業者の従来型技法に従って（蒸発により、溶媒減少により、または冷却により）、好ましくは冷却により結晶化されてもよい。
【００４８】
混合後、結晶化は、溶液を冷却することによってもたらされてもよい。溶液が４０℃〜９０℃で調製された場合、室温への冷却が一般に十分であるが、冷却はまた、０℃まで下方に広がる温度まで実施されてもよい。以下の説明では、表現「室温」は、とりわけ、１５℃〜２５℃、好ましくは１８℃〜２２℃の温度を意味する。溶液が室温で調製された場合、０℃〜１０℃、より優先的には０℃〜５℃の温度への冷却が本発明の配合物の結晶化をもたらすために用いられてもよい。種晶を液体混合物に導入することによる播種が可能である。調製の変形にかかわらず、結晶化生成物は、従来型液／固分離技法に従って、好ましくは濾過または遠心分離に従って分離されてもよい。
【００４９】
マトリックスと封入される物質との混合が溶媒なしで実施された場合、混合物は、容易にバルク固化し得る。融解生成物は、任意の容器、例えば、固化後の生成物の容易な回収を可能にするであろうステンレス鋼トレイへ移されてもよい。融解混合物の冷却は、好ましくはいかなる攪拌も不在下において、任意の公知手段による冷却温度の調整によって実施され得る。
【００５０】
バルク固化または結晶化による固化は、固化後の生成物の容易な回収を可能にするのに好適な不活性支持体上で実施されてもよい。あるいは、固化は、特有の支持体、例えば、固化後に生成物から分離されることを意図されない多孔質支持体、とりわけ食品支持体上で行われてもよい。
【００５１】
得られる固化混合物が形成されてもよく、異なる技法が構想されてもよい。
【００５２】
別の形成操作が、シリンダーまたはベルトでのスポーリングまたはペレット化技法を用いることによって実施されてもよい。この目的のために、融解混合物は、冷却された金属ベルトまたはシリンダーと接触され、次に得られた固化小滴またはフィルムをナイフでこすり落とすことにより、固化配合物がフレークまたはペレットの形態で回収される。
【００５３】
固化配合物の後処理の工程、例えば乾燥および／または粉砕が実施されてもよい。
【００５４】
乾燥操作は、例えば、オーブン、棚型乾燥機、流動床、真空オーブンなどの従来型乾燥装置で実施されてもよい。乾燥は、空気下または不活性ガス雰囲気下、好ましくは窒素雰囲気下で実施されてもよい。乾燥はまた、減圧下、例えば１．５Ｐａ〜７０Ｐａの圧力下でチャンバー中において実施されてもよい。乾燥時間は、１５分〜２時間で変わってもよい。
【００５５】
粉砕が、想定用途に適合するサイズを有する粒子を得るために実施されてもよい。粉砕操作は、パドルミル、ピンミルまたは造粒機などの従来型装置で実施されてもよい。
【００５６】
本発明による方法は、少なくとも１つの物質が封入されているマトリックスを含む固体配合物を得ることを可能にする。本説明において、表現「封入される」は、１つまたは複数の物質がマトリックス中に保持されている、可変のサイズ、形態および構造のすべてのシステムを表す。包含物は、例えばマトリックスまたは他にコア−シェル型構造中に物質の個別の包含ありで、均質であっても不均質であってもよい。物質は、マトリックスによって完全に被覆されていなくてもよい。固化マトリックスは、非晶質であっても、結晶性であってもよい。任意選択的に、マトリックスと封入される物質とは共結晶化してもよい。
【００５７】
本発明の方法に従って調製される組成物は、好ましくは、分割固体組成物である、すなわち、それは、微粒子または顆粒形態にあり、顆粒は、一般に、粒子よりも大きいサイズを有する。前記粒子および／または顆粒のサイズは、例えば、１０μｍ〜６０００００μｍ、好ましくは５００μｍ〜１０００μｍの範囲である。粒子はまた、プレートレット形態を有してもよく、これらの粒子は、「フレーク」と言われ、０．５〜６ｃｍ、好ましくは１〜３ｃｍの長さ、０．５〜３ｃｍ、好ましくは０．５〜１．５ｃｍの幅、および４００μｍ〜１５００μｍ、好ましくは５００μｍ〜７５０μｍの厚さを有する。粉砕後、中央径（ｄ５０）で表される粒径は、２００μｍ〜１０００μｍの範囲であってもよく、好ましくは５００μｍ〜８００μｍである。中央径は、粒子の５０重量％が中央径よりも大きいかまたは小さい直径を有するようなものであると定義される。
【００５８】
本発明による固体配合物の利点の１つは、マトリックス中の封入される物質の均質な分散系である。実際に、使用のために必要とされる物質の量が非常に低い場合、この物質を正しく分散させることは困難であり得る。これは、例えば食品調製における香味料について当てはまる。バニリンまたはエチルバニリンマトリックス中のこの物質の封入は、前記物質を固体配合物にあらかじめ分散させることを可能にし、それは、その後使用するのが容易である。
【００５９】
本発明による固体配合物は、多くの分野の用途に使用され得る。それは、ヒトおよび動物向け食品の分野、医薬品の分野での香味料として、化粧品、芳香剤および洗剤産業での香料として、および医薬品分野での封入された有効成分として非常に有利に使用される。
【００６０】
本発明による固体配合物は、実施の形態（チョコレートのバー、ケーキにかけるチョコレート、チョコレートのための詰め物）にかかわらず、チョコレート製造分野に特に好適である。実際に、バニリンまたはエチルバニリンマトリックスは、チョコレートに可溶性であるという利点を有する。本発明による配合物は、したがって、チョコレートにおいて香味料を放出するという技術的問題を解決し得る。本発明による配合物は、調質（ｔｅｍｐｅｒｉｎｇ）工程中もしくはコンチング、すなわち、ココアペーストと様々な材料、とりわけ香味料とのブレンディング工程中、またはコンチング後にそれをココアバターに使用することによって導入されてもよい。この分野の用途では、本発明による組成物は、最終製品１ｋｇ当たり０．０００５ｇ〜１ｇの割合で、チョコレートのタイプに応じて使用され、最高含有量はカバリング用のチョコレートで見いだされる。
【００６１】
本発明による配合物の別の好ましい分野の用途は、ビスケットおよびパティセリー菓子類、より具体的には、
−  ドライビスケット：標準タイプのスイートビスケット、バターベースのビスケット、「ガレット」ビスケット、スナックビスケット、ショートブレッドビスケット；
−  産業パティセリー：レディフィンガービスケット、キャッツタンビスケット、スポンジフィンガービスケット、スポンジケーキ、ジェノワーズスポンジケーキ、マドレーヌ、パウンドケーキ、ローフケーキ、アーモンドベースのパティセリー、プチフール（ｐｅｔｉｔｓ−ｆｏｕｒｓ）
のものである。
【００６２】
上述の産業を目的とした混合物中に存在する基本要素は、タンパク質（グルテン）およびデンプンであり、それらは、通常、小麦粉によって提供される。様々なタイプのビスケットおよびケーキの調製のために、スクロース、塩、卵、ミルク、脂肪、任意選択的に化学的ふくらし粉（重炭酸ナトリウムもしくは他の人工ふくらし粉）または生物学的イースト、および様々な穀物粉などの材料が小麦粉に添加される。
【００６３】
本発明による配合物の導入は、所望の製品に応じて製造中に行われ、考慮中の分野の標準技法（とりわけＪ．Ｌ．Ｋｉｇｅｒ  ａｎｄ  Ｊ．Ｃ．Ｋｉｇｅｒ  −  Ｔｅｃｈｎｉｑｕｅｓ  Ｍｏｄｅｒｎｅｓ  ｄｅ  ｌａ  Ｂｉｓｃｕｉｔｅｒｉｅ，Ｐａｔｉｓｓｅｒｉｅ−Ｂｏｕｌａｎｇｅｒｉｅ  ｉｎｄｕｓｔｒｉｅｌｌｅｓ  ｅｔ  ａｒｔｉｓａｎａｌｅｓ  ［Ｍｏｄｅｒｎ  ｔｅｃｈｎｉｑｕｅｓ  ｏｆ  ｂｉｓｃｕｉｔ  ｃｏｎｆｅｃｔｉｏｎｅｒｙ，ｉｎｄｕｓｔｒｉａｌ  ａｎｄ  ａｒｔｉｓａｎａｌ  ｐａｓｔｒｙ  ｍａｋｉｎｇ  ａｎｄ  ｂａｋｅｒｙ］，Ｄｕｎｏｄ，Ｐａｒｉｓ，１９６８，Ｖｏｌｕｍｅ  ２，ｐｐ．２３１以下参照を参照されたい）に従って実施される。優先的には、本発明による配合物は、生地の調製物中へ組み入れられる脂肪へ導入される。指標として、本発明による配合物は、生地１ｋｇ当たり０．００５ｇ〜１ｇの量で導入されると明記されるであろう。
【００６４】
本発明による配合物の別の使用は、ビスケットまたは菓子類のための詰め物の製造である。
【００６５】
本発明による配合物のさらに別の使用は、あらゆる種類のキャンディ：糖衣キャンディ、キャラメル、ヌガー、ハードキャンディ、ソフトキャンディなどの製造である。本発明による配合物の、それを含有する製品へ導入される量は、所望される多かれ少なかれ明確にされる味覚に依存する。したがって、使用用量は、配合物がその中に存在する製品の０．００１重量％〜０．２重量％の範囲であってもよい。使用される含有量は、一般に低く、最終製品１ｋｇ当たり約０．０２ｇのものである。
【００６６】
本発明による配合物はまた、酪農業界での、より具体的には風味付けおよびゲル化ミルク、アントルメ、ヨーグルト、アイスおよびアイスクリームでの使用に好適である。香味は、前記配合物を含有する製品の製造中に必要とされる混合段階の１つへの、本発明による配合物の単純添加によって行われる。
【００６７】
本発明による配合物はまた、最終製品の１ｋｇに対して表される約７ｇの量で、バニリン含有砂糖の調製、すなわち砂糖への前記配合物の含浸に使用され得る。
【００６８】
本発明による配合物はまた、様々な飲料へ組み入れられ得る。とりわけ、グレナディンおよびチョコレート−ベースの飲料が挙げられてもよい。特に、それは、飲料自動販売機によって販売されるインスタント飲料、風味付け粉末飲料もしくはチョコレート粉末のための調製物に、または代わりに水もしくはミルクでの希釈後にあらゆる種類のデザート、フラン、ケーキ衣用生地もしくはパンケーキを製造することを目的とした粉末形態でのインスタント調製物に使用され得る。
【００６９】
本発明による配合物の別の用途分野は、とりわけ子牛およびブタ餌用の食料の調製のための動物向け食品の分野である。推奨される含有量は、風味付けされる食料１ｋｇ当たり約０．２ｇである。
【００７０】
本発明による配合物は、医薬品産業（薬剤の臭いのマスキング）のための、または他の工業製品（生ゴム、プラスチック、ゴムなど）のためのマスキング剤などの他の用途を見いだし得る。
【００７１】
それは、化粧品および芳香剤または洗剤産業などのまったく異なる分野でも完全に好適である。それは、クリーム、乳液、フェースパウダーおよび他の製品などの化粧品において、ならびにまた芳香付けする材料（ｆｒａｇｒａｎｃｉｎｇ  ｉｎｇｒｅｄｉｅｎｔ）として、芳香付けする組成物（ｆｒａｇｒａｎｃｉｎｇ  ｃｏｍｐｏｓｉｔｉｏｎ）ならびに芳香付けされた物質（ｆｒａｇｒａｎｃｅｄ  ｓｕｂｓｔａｎｃｅ）および製品においても使用され得る。用語「芳香付けする組成物」は、本発明による配合物がその中へ組み入れられる、溶媒、固体または液体支持体、固定剤、様々な臭気化合物などの様々な材料の混合物を意味し、その配合物は、様々なタイプの最終製品に所望の芳香を付与するために使用される。香料基剤は、本発明の方法に従って調製される組成物が有利には０．１重量％〜２．５重量％の含有量でその中に使用され得る芳香付けする組成物の好ましい例を構成する。香料基剤は、多くの芳香付けされた製品、例えば、オードトワレ、香料、アフターシェーブローション；トイレタリー製品および衛生製品、例えば、浴用またはシャワー用ジェル、脱臭剤または制汗剤製品（ステックまたはローションの形態を問わず）、あらゆる種類のタルクまたはパウダー；毛髪用製品、例えば、シャンプーおよびあらゆる種類のヘアケア製品の調製に役立ち得る。本発明による配合物の使用の別の例は、石鹸製造の分野である。それは、芳香付けされる総質量の０．３％〜０．７５％の含有量で使用され得る。一般に、それは、この用途においてベンゾインレジノイドおよび次亜硫酸ナトリウム（２％）と組み合わされる。
【００７２】
本発明による配合物は、とりわけ室内空気芳香剤または任意のメンテナンス製品において多数の他の用途を見いだし得る。
【００７３】
加えて、本発明による固体配合物は、とりわけ封入される物質が医薬品有効成分である場合、医薬品分野で使用され得る。
【実施例】
【００７４】
バニリンを反応器へ量り分け、８５℃〜９０℃の温度で溶融させた。幾つかの香味化合物の混合物を量り分け、融解バニリンに添加した。混合物を、８５℃〜９０℃の温度を保ちながらおよそ５秒間スパチュラを用いて攪拌することによって均質化した。このようにして得られた液体混合物をステンレス鋼トレイ上へ注ぎ、室温まで、すなわち、融解混合物２０ｇ当たりおよそ１５／２０分間放冷した。固体シートが得られた。このシートを壊し、次に室温で２０秒間ミルを用いて粉砕した。
【００７５】
微細粉末が得られた。後者は、香味化合物がその中に封入されているバニリンで形成されている。
【国際調査報告】
2018532817.tif 000002
2018532817.tif 000003
2018532817.tif 000004
2018532817.tif 000005
2018532817.tif 000006
2018532817.tif 000007